(57)【要約】      （修正有）【課題】壁、天井および柱等に使用する部材としての曲面石膏ボードの成形部品であって、仕上げに際して下地処理をせずにそのまま使用することができる曲面石膏ボード成形部品を提供する。【解決手段】曲面石膏ボード成形部品は、石膏ボード１０の片面側の原紙１３を残して互いに平行な同一幅の切削溝１９が同一間隔で形成され、切削溝に接着剤が充填された後、切削溝の開放側が互いに接触するように曲折されて凹面が形成され、凹面を被覆する薄型不燃ボード１７が凹面側に接着されて成形される。【選択図】図１
0003228561.tif 000002
【実用新案登録請求の範囲】
【請求項１】
石膏ボードの片面側の原紙を残して互いに平行な同一幅の切削溝が同一間隔で形成され、
前記切削溝に接着剤が充填された後、切削溝の開放側が互いに接触するように曲折されて凹面が形成され、
前記凹面を被覆する薄型不燃ボードが該凹面側に接着されて成形される、ことを特徴とする曲面石膏ボード成形部品。
【請求項２】
前記石膏ボードの凸面側が表面となる場合は、成形後の該凸面側の原紙に重ねて薄型不燃ボードが接着されて被覆する、ことを特徴とする請求項１に記載の曲面石膏ボード成形部品。
【請求項３】
前記切削溝の幅は１．０ｍｍないし２．０ｍｍである、ことを特徴とする請求項１または請求項２に記載の曲面石膏ボード成形部品。
【請求項４】
前記凹面は予め所定半径で形成された曲面を有する型枠に押し付けられて成形される、ことを特徴とする請求項１ないし請求項３のいずれかに記載の曲面石膏ボード成形部品。
【考案の詳細な説明】
【技術分野】
【０００１】
本考案は、室内の天井や壁面に使用される曲面石膏ボードの成形部品に関する。
【背景技術】
【０００２】
石膏ボードは、防火性、遮音性、寸法安定性そして施工の容易性等の特徴をもち、経済性にも優れていることから広く室内の天井や壁面に使用されている。さらに、近年の傾向として、壁、天井および柱等に曲面が多用されている。この曲面に使用できる石膏ボードの需要に応えるために、曲面石膏ボードに関する考案や発明が、例えば、特許文献１や特許文献２に開示されている。
【０００３】
特許文献１に開示の考案は、考案の名称を「曲面成形用石膏ボード」としていて、その構成を「互いに平行な多数の切削溝を片面に有する石膏ボードであって、該溝の切削面に撥水性が付与されている」としていて、その効果を「曲面石膏ボードの切削溝に石膏パテを充填するに際し、溝の石膏芯又は溝の切削面が撥水性を有するので石膏パテの水分が石膏芯により吸水されることが抑制され、石膏芯の流動性は失われず、よって作業性は低下せず、又、溝巾が狭くとも溝の上部に架橋することなく底部まで石膏パテを容易に充填できる。従って、溝部に空洞のない、かつ、石膏芯と石膏パテとがより強固に一体化した防耐火性、遮音性および堅牢性を発揮した曲面石膏ボードが確実にかつ簡単に得られる」としている。
【０００４】
また、特許文献２に開示の発明は、発明の名称を「曲面石膏ボードの成形方法及び曲面形成形枠」としていて、「多数の曲面石膏ボードを効率良く成形することができる曲面石膏ボードの成形方法を提供することを目的としている。本発明は又、種々の曲率半径を有する曲面石膏ボードの成形に用いることができる曲面石膏ボード成形用の曲面形成枠を提供することにある」としている。そして、「本発明は、所定の曲率の載置面をする型枠を用いて、一方の面に互いに平行な複数の溝を備えた石膏ボードを湾曲させ、前記溝に接着材を充填することにより曲面石膏ボードを成形する曲面石膏ボードの成形方法で、型枠の載置面上に石膏ボードを載置して、前記石膏ボードを湾曲させるとともに、前記溝の両側に位置する部分を互いに架橋して、前記石膏ボードの湾曲形状を保持するように、補強材を、速乾性接着剤によって、該溝を有する石膏ボードの面に接着することを特徴とする曲面石膏ボードの成形方法を提供する」としている。        
【先行技術文献】
【特許文献】
【０００５】
【特許文献１】実開平５−７５３２８号公報
【特許文献２】特開平４−１７６９５２号公報
【考案の概要】
【考案が解決しようとする課題】
【０００６】
しかしながら、特許文献１および特許文献２のいずれの曲面石膏ボードも塗装工事やクロス貼り工事に際しては、下地となる曲面石膏ボードの不陸や曲折で生ずる折れ筋の修正処理をする必要がある。
【０００７】
そこで、本願考案が解決しようとする課題は、壁、天井および柱等に使用する部材としての曲面石膏ボードの成形部品であって、下地処理をせずにそのまま使用することができる曲面石膏ボード成形部品を提供することにある。
【課題を解決するための手段】
【０００８】
上記課題を達成するために、本願請求項１に係る曲面石膏ボード成形部品は、石膏ボードの片面側の原紙を残して互いに平行な同一幅の切削溝が同一間隔で形成され、前記切削溝に接着剤が充填された後、切削溝の開放側が互いに接触するように曲折されて凹面が形成され、前記凹面を被覆する薄型不燃ボードが該凹面側に接着されて成形される、ことを特徴としている。
また、本願請求項２に係る曲面石膏ボード成形部品は、請求項１に記載の曲面石膏ボード成形部品であって、前記石膏ボードの凸面側が表面となる場合は、成形後の該凸面側の原紙に重ねて薄型不燃ボードが接着されて被覆する、ことを特徴としている。
そして、本願請求項３に係る曲面石膏ボード成形部品は、請求項１または請求項２に記載の曲面石膏ボード成形部品であって、前記切削溝の幅は１．０ｍｍないし２．０ｍｍである、ことを特徴としている。
さらに、本願請求項４に係る曲面石膏ボード成形部品は、請求項１ないし請求項３のいずれかに記載の曲面石膏ボード成形部品であって、前記凹面は予め所定半径で形成された曲面を有する型枠に押し付けられて成形される、ことを特徴としている。
【考案の効果】
【０００９】
本考案は上記の構成により以下の効果を奏する。
（１）本考案に係る曲面石膏ボード成形部品は、石膏ボードの片面側の原紙を残して多数の平行な切削溝が形成され、この切削溝に接着剤が充填された後、切削溝の開放側が互いに接触するように曲折されて凹面が形成されるので、成形後の曲面石膏ボードには空隙が生ずることなく、また、厚さが略１ｍｍの薄型不燃ボードが接着されるので、凹面は多角形状の面とはならず滑らかな曲面となる。
（２）凸面側が表面となる場合は、凸面側の原紙に重ねて薄型不燃ボードが接着されて被覆するので、凸面は多角形状の面とはならず滑らかな曲面となる。
（３）切削溝の幅が１．０ｍｍないし２．０ｍｍであれば、接着剤の充填は容易であり、充填後の接着剤の硬化が早く、成形後の型崩れがない。
（４）凹面は予め所定半径で形成された曲面を有する型枠に押し付けられて成形されるので、成形後の曲面石膏ボード成形部品の曲面半径の寸法は正確であって、その断面形は真円の一部となる。
【図面の簡単な説明】
【００１０】
【図１】図１は、実施例に係る曲面石膏ボード成形部品の側面から見た成形順序説明図である。
【考案を実施するための形態】
【００１１】
本考案を実施するための形態に係る実施例について、図１に基づいて説明する。なお、図１において、符号１０は石膏ボード、符号１１は石膏芯、符号１３は原紙、符号１７は薄型不燃ボード、符号１９は切削溝、符号３０は型枠、符号（１）および符号（２）は矢印である。
【００１２】
石膏ボードは、石膏芯１１を両面から原紙１３、１３が挟んで構成されているが、切削溝１９は片面側の原紙１３を残して平行な同一幅の切削溝１９が同一間隔となるように電動カッターで切削されて多数の切削溝のある石膏ボード１０が形成されている。切削溝１９の溝幅および溝間隔は計算で求めることができるが、表１に凹面が仕上げ面となる曲面石膏ボード成形部品を作製する場合を、半径が１００ｍｍ、１５０ｍｍ、２００ｍｍ、２５０ｍｍおよび３００ｍｍのそれぞれを例にとって、その数値を示す。
【００１３】
【表１】
0003228561.tif 000003
【００１４】
切削溝１９が形成された石膏ボード１０のそれぞれの切削溝１９に接着剤を充填する。    そして、石膏ボード１０を矢印（１）方向に移動して型枠３０に押し付け、切削溝１９から滲み出た接着剤を均等にならし、その上から裏面に接着剤を塗布した厚さが略１ｍｍの薄型不燃ボード１７を押し付ける〈矢印（２）〉。これにより曲面石膏ボード成形部品が成形される。所定半径の型枠３０により、成形部品の断面の寸法は正確であり、接着剤による原紙同士（石膏ボード１０の原紙と薄型不燃ボード１７同士、および切削溝１９の開放側の原紙１３同士）により、曲面石膏ボード成形部品は型崩れしない。また、成形した曲面石膏ボード成形部品の凸面側が表面（仕上げ面）となる場合は、凸面側となっている原紙１３に重ねて薄型不燃ボード１７を被覆するように接着して成形する。
【符号の説明】
【００１５】
１０  石膏ボード
１１  石膏芯
１３  原紙
１７  薄型不燃ボード
１９  切削溝
３０  型枠
【図１】
0003228561.tif 000004